(57)【特許請求の範囲】
【請求項１】
基板と、この基板の上に浮動可能に載置され、少なくとも２点で前記基板に連結され、かつ切込みが形成された浮動シートと、この浮動シートの上に形成された粘着層とを有し、
前記浮動シートは、前記切込みによって互いに連続し、いずれかの部位を持ち上げると、他の部位も連動し、持ち上げた部位を頂点とするスロープをなして浮動する粘着捕獲具。
【請求項２】
前記浮動シートには、複数の切込みが同心状に間隙を隔てて形成されて等高線状に交互に互いに間隙の位置をずらして配設され、
前記浮動シートは方形であって、その４辺部の中間部に配された連結部によって基板に連結されている請求項１に記載の粘着捕獲具。
【請求項３】
前記浮動シートには、概略乙字形の複数の切込みが互いにその位置をずらせながら間隙を隔てて形成され、
前記浮動シートは方形であって、その４辺部の隅部に配された連結部によって基板に連結されている請求項１に記載の粘着捕獲具。
【請求項４】
前記浮動シートには、切込みによって渦巻形またはジグザグ帯形のシート片が形成され、
このシート片は、その双方の端末に設けられた連結部によって基板に連結されている請求項１に記載の粘着捕獲具。
【発明の詳細な説明】
【０００１】
【発明の属する技術分野】
本発明は、ネズミなどの小動物を高い捕獲率で捕獲することができる粘着捕獲具に関する。
【０００２】
【従来の技術】
従来から、ネズミなどの小動物を捕獲するために、基板上に粘着層を形成した粘着捕獲具が用いられている。この粘着捕獲具は、対象となる小動物が出没する地域に粘着層を上向きにして配置すると、この上を小動物が通過する際に粘着層が足などに粘着し、捕獲するというものである。
【０００３】
【発明が解決しようとする課題】
しかし、ネズミなどの小動物は、足裏に埃や油分などを付着させていることも多いので、粘着層の上を歩行しても脱出不能となる程十分には粘着せず、捕獲し得ない場合も少なくない。またネズミなどの脚力は意外に強いので、例えば１足程度が粘着層に粘着しても、引き剥して脱出することもある。
【０００４】
この問題を解決しようとして従来からさまざまな工夫がなされている。例えば、基板の上に柔軟性シートを重ね、この柔軟性シートを対向２辺部かまたは中央部で基板に連結し、この柔軟性シートの上面に粘着層を形成したねずみ取りシートが提案されている（実公昭５３−４８７９１号公報、実公昭５３−５２８６７号公報）。これらの捕獲具は、柔軟性シートが基板の上に浮動可能に載置され少なくとも１点で前記基板に連結されているので、この上を小動物が通過すると、僅かな粘着力でも足に粘着して柔軟シートが浮動し、もがくほどに全身に絡みついて身動きできなくなることを期待したものである。しかしこの場合、柔軟性シートの上に比較的重い粘着層が形成されているために、シート全体が重くなりかつ柔軟性も乏しくなって、実際には粘着した小動物があばれても基板からあまり浮動せず、小動物に絡みつくことも少なくて、捕獲率は必ずしも満足できるものではなかった。
【０００５】
また前記に類似したものとして、基板の上にシート状の糸束を重ね、この糸束シートの対向２辺を基板に綴じ合わせ、このシート状糸束の表面に粘着剤を塗布したものも知られている（実公昭５４−３７７３８号公報）。ネズミがこの上を通過すると、足が粘着層に粘着し、糸束シートの中央部は基板から浮動可能とされているので粘着層を有する糸束シートが足に絡みつき、もがくほどに全身に粘着して身動きができなくなることを期待したものである。しかしこの場合は、粘着剤が糸束シートの間隙を通して基板に粘着し、糸束シートが基板から浮遊しなくなるので、小動物に絡みつくことができないという問題があって必ずしも捕獲率が向上しなかった。
【０００６】
本発明は、上記の課題を解決するためになされたものであって、従ってその目的は、粘着層をネズミなどの小動物に絡みつき易くすることによって、高い捕獲率を達成することができる粘着捕獲具を提供することにある。
【０００７】
【課題を解決するための手段】
前記の課題を解決するために、本発明は請求項１において、基板と、この基板の上に浮動可能に載置され、少なくとも２点で前記基板に連結され、かつ切込みが形成された浮動シートと、この浮動シートの上に形成された粘着層とを有し、前記浮動シートは、前記切込みによって互いに連続し、いずれかの部位を持ち上げると、他の部位も連動し、持ち上げた部位を頂点とするスロープをなして浮動する粘着捕獲具を提供する。
【０００８】
前記請求項１の粘着捕獲具は、前記浮動シートには、複数の切込みが同心状に間隙を隔てて形成されて等高線状に交互に互いに間隙の位置をずらして配設され、前記浮動シートは方形であって、その４辺部の中間部に配された連結部によって基板に連結されていることが好ましい。または前記請求項１の粘着捕獲具は、前記浮動シートには、概略乙字形の複数の切込みが互いにその位置をずらせながら間隙を隔てて形成され、前記浮動シートは方形であって、その４辺部の隅部に配された連結部によって基板に連結されていることが好ましい。または、前記請求項１の粘着捕獲具は、前記浮動シートには、切込みによって渦巻形またはジグザグ帯形のシート片が形成され、このシート片は、その双方の端末に設けられた連結部によって基板に連結されていることが好ましい。
【０００９】
【発明の実施の形態】
以下、本発明の実施の形態を図面を用いて説明する。
（実施例１）
図１（ａ）（ｂ）は、本発明の参考例としての粘着捕獲具の一実施例を示している。
図１（ａ）（ｂ）においてこの粘着捕獲具１０は、基本的に基板１１と、この基板１１の上に浮動可能に載置された方形の浮動シート１２と、この浮動シート１２の上に形成された粘着層１３とからなっている。この浮動シート１２は、柔軟性のシートからなり、その面中心に配された連結部１４において基板１１に連結されている。
【００１０】
この浮動シート１２には、周縁部から面中心の連結部１４の近傍まで延びる複数の切込み１５…が形成されている。そして、これらの切込み１５…によって形成されるシート片１６…の上に、それぞれの粘着層１３…が形成されている。そこで、それぞれのシート片１６は、その粘着層１３に何かを粘着させて持ち上げると、連結部１４で基板１１に連結されながら、他のシート片とは無関係に基板１１から翼状に浮動できるようになっている。
【００１１】
この粘着捕獲具１０は、図２に示すように、ネズミなどの小動物Ｍが出没する地域に粘着層１３を上向きにして配置すると、この上を小動物Ｍが通過する際に、少なくともいずれか１片のシート片１６が足などに粘着する。個々のシート片１６は軽量かつ浮動性であるので、比較的小さい粘着力でも小動物に付着しその動きに追随する。しかもこのシート片１６は、連結部１４において基板１１に連結されているので、小動物がシート片１６を付着したままで逃走することはできない。小動物が、付着したシート片１６を振り払おうとして基板１１上でもがくほどに、他の複数のシート片１６…も小動物に粘着し、結局小動物は複数のシート片１６…によって絡め捕られて脱出不能となるので、確実に捕獲することができる。
【００１２】
上記の粘着捕獲具１０において、基板１１は厚板紙または段ボールなど比較的硬質の板材で作成することが好ましい。一方、浮動シート１２は、柔軟性がありかつ低比重のプラスチックシート、発泡プラスチックシート、紙、セロファンなどで作成することが好ましい。粘着層１３は、浮動シートの各シート片１６…の上に粘着剤を塗布することによって形成することができる。
【００１３】
前記実施例１において、浮動シート１２の形状およびこれに形成される切込み１５の形状や数などは、特に限定されるものではなく、さまざまな変形が可能である。要は浮動シート１２が切込みを有し、基板１１上に載置されて浮動可能に連結されていればよいのであるから、これを実現するものはすべて本発明に含まれる。例えばこの切込みは、これによって形成された隣接するシート片の辺部が互いに間隙を隔てるように形成されていてもよい。
実質的に実施例１のものと同様に、個々のシート片が独立に浮動し得る浮動シートの例を、単なる例示のために図３（ａ）〜図３（ｄ）に示す。
【００１４】
図３（ａ）に示す浮動シート２１は外形が円形であって、その中心部２２で基板（図示せず）に連結されている。そして複数の切込み２３…が、浮動シート２１の円周から中心部２２の近傍まで放射状に形成されている。
図３（ｂ）に示す浮動シート２４は方形であって、その一方の中央線２５に沿って基板（図示せず）に線状に連結されている。そしてこの中央線２５と平行する２辺から中央線２５の近傍まで、複数の切込み２６…が櫛歯状に形成されている。
【００１５】
図３（ｃ）に示す浮動シート３１は円形であって、その円周部３２の全周で基板（図示せず）に連結されている。そして複数の切込み３３…が、浮動シート２１の中心から円周部３２の近傍まで、放射状に形成されている。
図３（ｄ）に示す浮動シート３４は方形であって、その対向する２辺部３５，３５で基板（図示せず）に線状に連結されている。そして辺部３５，３５と平行な中央線に沿って、辺部に達しない切込み３６が形成され、この切込み３６の両側に辺部３５，３５の近傍まで延びる複数の切込み３７が平行に形成されている。
【００１６】
図３（ａ）〜図３（ｄ）に示した浮動シートの切込みによって形成されたシート片には、いずれも粘着層（図示せず）が形成されているので、軽い個々のシート片が単独で小動物に粘着することができ、小動物が、シート片を付着したままもがくほどに、他の複数のシート片も小動物に粘着し、結局小動物は複数のシート片によって絡め捕られて脱出不能となり、確実に捕獲される。
【００１７】
（実施例２）
この実施例２も、浮動シートに切込みが形成された本発明の請求項１に記載した粘着捕獲具の一例である。図４（ａ）（ｂ）において、実施例２の粘着捕獲具４０は、基本的に基板４１と、この基板４１の上に浮動可能に載置された方形の浮動シート４２と、この浮動シート４２の上に形成された粘着層４３とからなっている。この浮動シート４２は、柔軟性のシートからなり、４辺部のそれぞれ中間点に配された連結部４６…によって基板４１に連結されている。
【００１８】
この浮動シート４２には、同心方形状に互いに間隙を隔てて配されたＬ字形切込み４４ａ…と直線状切込み４４ｂ…とが等高線状に交互に形成され（以下、切込み４４と総称する）、この切込み４４によって、互いに連続した複数のシート片４５…が形成されている。このシート片４５…のそれぞれの上に前記の粘着層４３…が形成されている。そこで、この粘着層４３…のいずれかに何かを粘着させて持ち上げると、それぞれのシート片４５は、互いに部分的に連続しているので、他のシート片も連動して浮動し、浮動シート４２全体がその持ち上げたシート片を頂点とするスロープをなして浮動する。しかし連結部４６…によって基板４１に連結されているから、いずれのシート片も基板４１から分離することはない。
【００１９】
この粘着捕獲具４０も、実施例１のものと同様に、この上を小動物が通過すると、少なくともいずれか１片のシート片４５が足などに粘着し、軽量かつ浮動性の高いシート片４５が小動物の動きに追随し、小動物が振り払おうともがくほどに、他の連動するシート片４５…も粘着し、結局小動物は複数のシート片４５…に網目のように絡め捕られて脱出不能となり、捕獲されることになる。
【００２０】
実質的に実施例２のものと同様に、シート片が互いに部分的に連続し、いずれか１片のシート片を持ち上げると、他のシート片も連動し、持ち上げたシート片を頂点とするスロープをなして浮動する型の浮動シートの例を、これらに限定されるものではないが、図５（ａ）（ｂ）に示す。
【００２１】
図５（ａ）に示す浮動シート５１は円形をなし、その中心部５２で基板（図示せず）に連結されている。そして複数の円弧状の切込み５３…が、同心円状に互いに間隙を隔てて形成され、等高線状に交互にその間隙の位置をずらせて配設されている。
図５（ｂ）に示す浮動シート５５は方形であって、その４隅に設けた連結部５６…によって基板（図示せず）に連結されている。そして概略乙字形の複数の切込み５７…が、互いにその位置をずらせながら間隔を隔てて形成されている。
【００２２】
（実施例３）
この実施例も、浮動シートに切込みが形成された本発明の請求項１に記載した粘着捕獲具の一例である。図６に示す粘着捕獲具６０は、基板６１の上に概略円形の柔軟性シートからなる浮動シート６２が浮動可能に載置され、この浮動シート６２には、中心部から円周部に向けて１本の渦巻形の切込み６３が形成され、これによって、１枚の渦巻帯形のシート片６４が形成されている。このシート片６４は、その上面に粘着層（図示せず）が形成されている。そしてこのシート片６４は、その双方の端末に設けられた連結部６５，６５によって基板６１に連結されている。
【００２３】
この粘着捕獲具６０は、浮動シート６２の上を小動物が通過すると、シート片６４の一部が足などに粘着する。すると渦巻帯形のシート片６４は小動物に付着したままその動きに追随して延長される。しかしこのシート片６４は端末６５，６５で基板６１に連結されているので、小動物がシート片６４を付着したままで逃走することはできず、振り払おうとしてもがくほどにシート片６４の他の部分も粘着し、結局小動物は帯状のシート片６４に絡め捕られて身動きできなくなり捕獲されることになる。
【００２４】
実施例３の浮動シート６０は、渦巻形の切込み６３によって、１本の帯状のシート片が形成されたものであるが、他の形状の切込みによっても帯状のシート片を実現することができる。その一例を、これに限定されるものではないが図７に示す。
図７に示す粘着捕獲具７０は、柔軟シートおよび切込みの形状が異なる以外は実施例３のものと同様である。図７において、この粘着捕獲具７０の浮動シート７２は方形であり、その対向する２辺からそれぞれ垂直に、対向する辺に達しない直線の切込み７３…が互いに入れ子状に形成され、これによって、１枚のジグザグ帯形のシート片７４が形成されている。そしてこのシート片７４は、その双方の端末に設けられた連結部７５，７５によって基板７１に連結されている。
【００２５】
この粘着捕獲具７０も、実施例３のものと同様に、浮動シート７２の上を小動物が通過するとその足などに粘着し、シート片７４が基板７１に連結されながら延長し、小動物がもがくほどにシート片の他の部分も粘着し、小動物は絡め捕られて捕獲されることになる。
【００２６】
（実施例４）
図８（ａ）（ｂ）は、本発明の参考例としての粘着捕獲具の一実施例を示している。
図８（ａ）（ｂ）において、この粘着捕獲具８０は、基本的に、基板８１と、この基板８１の上に浮動可能に載置され、糸８４によって前記基板８１に連結された２以上の浮動シート８２ａ，８２ｂ…（以下、符号８２で総称する）と、この浮動シート８２の上に形成された粘着層８３…とからなっている。
【００２７】
この実施例において、各浮動シート８２は、それぞれに接続された糸８４を折り込んだ状態で、基板８１の周縁部に設けられた縁枠部材８５の枠内に整列して収納されている。
【００２８】
この粘着捕獲具８０は、小動物が出没する地域に粘着層８３を上向きにして配置すると、この上を小動物が通過する際に、少なくともいずれか１片の浮動シート８２が足などに粘着する。浮動シート８２自体は、小型軽量でかつ浮動性であるので、比較的小さい粘着力でも小動物に付着しその動きに追随する。しかもこの浮動シート８２は、糸８４によって基板８１に連結されているので、小動物が浮動シート８２を付着させたまま逃走することはできない。小動物が、付着した浮動シート８２を振り払おうとして基板上でもがくほどに、他の複数の浮動シート８２も小動物に粘着し、結局小動物は複数の粘着性浮動シート８２によって躯体が包囲され脱出不能となり捕獲されることになる。
【００２９】
前記において、個々の浮動シート８２の形状は方形に限らず、多角形、円形、楕円形、星形など任意の形状であってよく、またそれぞれの浮動シート８２が同一形状・同一寸法である必要もない。糸８４の長さは特に限定されないが、小動物が１片の浮動シート８２に捕捉されてもがくとき、他の複数の浮動シートにも接触し得る程度の長さとすることが好ましい。糸８４の代わりにテープなどを用いてもよいことはいうまでもない。
【００３０】
（実施例５）
図９（ａ）（ｂ）は、本発明の参考例としての粘着捕獲具の一実施例を示している。
図９（ａ）（ｂ）において、この粘着捕獲具９０は、基本的に、基板９１と、この基板９１の上に形成された離型層９２と、この離型層９２の上に浮動可能に載置された粘着層９３とからなっている。離型層９２の４隅近傍には、基板９１の一部を露出させた基板露出部９４が形成され、この基板露出部９４を通して、粘着層９３が基板９１に連結されている。この粘着層９３は、補強のため繊維９５を含んでいる。
【００３１】
この粘着捕獲具９０は、小動物が出没する地域に粘着層９３を上向きにして配置すると、この上を小動物が通過する際に、離型層９２によって浮動可能とされた粘着層９３の一部が足などに粘着する。粘着層９３それ自体は軽量かつ可撓性であるので、比較的小さい粘着力でも小動物に付着しその動きに追随する。粘着層９３には繊維９５が含まれて補強されているので、小動物の動きによって部分的に引きちぎられることはない。またこの粘着層９３は、基板露出部９４を通して基板９１に連結されているので、小動物が粘着層９３を付着したままで逃走することはできない。小動物が、付着した粘着層９３を振り払おうとしてもがくほどに、粘着層９３の他の部分も小動物に粘着し、結局小動物は粘着層９３に絡め捕られて捕獲されることになる。
【００３２】
実施例５の粘着捕獲具において、粘着層９３の形状、その補強手段、基板との連結手段などは前記のものに限定されない。本発明の参考例としての粘着捕獲具の他の実施例を、単に例示のために図１０および図１１に示す。
【００３３】
図１０に示す粘着捕獲具１００において、基板１０１の一方の中央線に沿って基板を露出させた帯状の基板露出部１０４が形成され、その両側に離型層１０２ａ，１０２ｂが形成されている。そして、粘着層１０３は、離型層１０２ａ，１０２ｂおよび基板露出部１０４の上を一体に覆って載置されている。
粘着層１０３は、離型層１０２ａ，１０２ｂには粘着しないが、基板露出部１０４には粘着して基板１０１に連結されるので、基板露出部１０４を軸として離型層１０２ａ，１０２ｂの上で蝶番状に浮動可能となる。この粘着層１０３は、補強用の繊維を含んでいる。
この粘着捕獲具１００は、小動物を両側から粘着層で包み込むように捕獲することができる。
【００３４】
図１１に示す粘着捕獲具１１０は、基板１１１の上に離型層１１２が形成され、この上に、複数の層片に分割された粘着層１１３…が浮動可能に載置されている。そして、それぞれの粘着層１１３…には補強のため全面に糸１１４が埋設され、それぞれの糸１１４…の端末は粘着層１１３から引き出され、連結部１１５において基板１１１に連結されている。
【００３５】
この粘着捕獲具１１０は、粘着層が複数の層片に分割され、個々の層片はさらに軽量で、しかも糸１１４で基板１１１に連結されているので移動の自由度が高く、小動物に粘着しその動きに追随し易い。また各粘着層の層片には基板との連結部１１５から連続した１本の糸１１４が埋設されているので、小動物の動きによって粘着層１１３が引きちぎられたり、粘着層を付着したまま逃走する可能性がさらに減少し、捕獲率が向上する。
【００３６】
図１１の実施例では粘着層１１３が４分割されているが、分割数はこれに限定されるものではなく、多数に分割されていればそれだけ１層片は軽量になるので、小動物に粘着しその動きに追随し易くなる。
【００３７】
（実施例６）
図１２は、本発明の参考例としての粘着捕獲具の一実施例を示している。この粘着捕獲具１２０は、基板１２１の上に離型層１２２が形成され、この上に粘着剤１２３を塗布した糸１２４が、例えば渦巻状に載置され、この糸１２４の層が粘着層を形成している。そして、この糸１２４の両端末は、それぞれ連結部１２５，１２５において基板１２１に連結されている。
【００３８】
この実施例６の粘着捕獲具１２０は、載置された糸１２４の上を小動物が通過すると、糸には粘着剤が塗布されているので、この糸の一部が足などに粘着し、軽量かつ浮動性の高い粘着糸が小動物の動きに追随し、小動物が振り払おうともがくほどに、粘着糸の他の部分も粘着し、結局小動物は粘着糸１２３に網目のように絡め捕られて脱出不能となり、捕獲されることになる。
【００３９】
糸１２３の配置は前記実施例６のように渦巻状であってもよいが、１本の糸が平面上ですだれ状に往復する面構成としてもよく、また交差部があってもよい。多数の交差部が形成されると、交差部では互いの粘着剤が融合するので、粘着層は全体として網状となる。この、粘着層が網状とされた粘着捕獲具もまた本発明に含まれるものである。
【００４０】
以上説明した本発明の粘着捕獲具は、保管中に粘着層が他のものに粘着しないように、粘着層の上部を離型紙などで覆っておくか、または粘着層が他のものに接触しないように上部に空隙を形成した箱などに収容しておくことが好ましい。また、基板は折り畳み可能、または丸め込み可能とすることもできる。更に、捕獲した小動物を粘着捕獲具の基板で包み込んで捨てることができるように、小動物を捕獲した状態で基板を丸め、または箱形に組み込める構造とすることもできる。その際に基板の端部を係止する係合具が付属されていてもよい。
【００４１】
【発明の効果】
本発明の粘着捕獲具は、請求項１において、基板と、この基板の上に浮動可能に載置され少なくとも１点で基板に連結され、かつ切込みが形成された浮動シートと、この浮動シートの上に形成された粘着層とを有するか、請求項２において、基板の上に浮動可能に載置され糸またはテープによって基板に連結された２以上の浮動シートと、この浮動シートの上に形成された粘着層とを有するか、または請求項３において、基板の上に形成された離型層と、この離型層の上に浮動可能に載置され少なくとも１点で基板に連結された粘着層とを有するものであるので、粘着層が軽量かつ浮動性であり、ネズミなどの小動物が粘着層の上を通るとき、小動物に付着してその動きに追随し易く、もがくほどに他の粘着層部分も粘着し、効率よく小動物を捕獲することができるようになる。
【図面の簡単な説明】
【図１】 （ａ）は、本発明の参考例にかかわる粘着捕獲具の一実施例を示す平面図、（ｂ）は、この平面図の線Ｘ−Ｘで切った断面図。
【図２】 図１の粘着捕獲具による捕獲状態を模式的に示す斜視図。
【図３】 （ａ）（ｂ）（ｃ）（ｄ）はそれぞれ、参考例にかかわる粘着捕獲具の他の実施例における浮動シートを示す平面図。
【図４】 （ａ）は本発明の請求項１にかかわる粘着捕獲具のさらに他の一実施例を示す平面図、（ｂ）はこの平面図の線Ｘ−Ｘで切った断面図。
【図５】 （ａ）（ｂ）はそれぞれ、参考例にかかわる粘着捕獲具のさらに他の実施例における浮動シートを示す平面図。
【図６】 本発明の請求項１にかかわる粘着捕獲具のさらに他の一実施例を示す平面図。
【図７】 本発明の請求項１にかかわる粘着捕獲具のさらに他の一実施例を示す平面図。
【図８】 （ａ）は、本発明の参考例にかかわる粘着捕獲具の一実施例を示す平面図、（ｂ）は、この平面図の線Ｘ−Ｘで切った断面図。
【図９】 （ａ）は、本発明の参考例にかかわる粘着捕獲具の一実施例を示す平面図、（ｂ）は、この平面図の線Ｘ−Ｘで切った断面図。
【図１０】 本発明の参考例にかかわる粘着捕獲具の他の一実施例を示す平面図。
【図１１】 本発明の参考例にかかわる粘着捕獲具のさらに他の一実施例を示す平面図。
【図１２】 本発明の参考例にかかわる粘着捕獲具の一実施例を示す平面図。
【符号の説明】
１０…粘着捕獲具、
１１…基板、
１２…浮動シート、
１３…粘着層、
１４…連結部、
１５…切込み、
１６…シート片、
８０…粘着捕獲具、
８１…基板、
８２，８２ａ，８２ｂ…浮動シート、
８３…粘着層、
８４…糸、
９０…粘着捕獲具、
９１…基板、
９２…離型層、
９３…粘着層、
９４…連結部、
９５…繊維。
【図１】
0003816166.tif 000002
【図２】
0003816166.tif 000003
【図３】
0003816166.tif 000004
【図４】
0003816166.tif 000005
【図５】
0003816166.tif 000006
【図６】
0003816166.tif 000007
【図７】
0003816166.tif 000008
【図８】
0003816166.tif 000009
【図９】
0003816166.tif 000010
【図１０】
0003816166.tif 000011
【図１１】
0003816166.tif 000012
【図１２】
0003816166.tif 000013